(57)【要約】【課題】複数個の部材を組み合わせて構成される部品の前記複数個の部材を同時にセット洗いできる洗浄装置を提供する。【解決手段】被洗浄物を洗浄する少なくとも２つの作業位置Ｐ１，Ｐ２と、各位置Ｐ１，Ｐ２に対応する数の回転テーブル１０１Ａ，１０１Ｂと、各回転テーブル１０１Ａ，１０１Ｂを回転させる回転機構１０２とを備える。前記被洗浄物は、複数個の部材１０５Ａ，１０５Ｂを組み合わせて構成される部品の前記各部材である。回転テーブル１０１Ａ，１０１Ｂの数は、作業位置Ｐ１，Ｐ２の数に対応し、各部材１０５Ａ，１０５Ｂは、各作業位置Ｐ１，Ｐ２において、回転テーブル１０１Ａ，１０１Ｂが回転機構１０２によって回転されかつ同時に洗浄されるようにしている。【選択図】  図１
0003223543.tif 000002
【実用新案登録請求の範囲】
【請求項１】
被洗浄物を洗浄する少なくとも２つの作業位置と、前記各作業位置に設けられる回転テーブルと、前記各回転テーブルを回転させる回転機構とを備える洗浄装置であって、
前記被洗浄物は、複数個の部材を組み合わせて構成される部品の前記各部材であり、
前記作業位置の数は、前記各部材の数に対応し、
前記各部材は、前記各作業位置において、前記回転テーブルが前記回転機構によって回転されることで、同時に洗浄されるようにしたことを特徴とする洗浄装置。
【請求項２】
前記回転機構は、前記回転テーブルに同軸状に設けられる回転スプロケットと、前記回転スプロケットに巻き付けられるチェーンと、前記回転テーブルの少なくとも１つを回転駆動する駆動手段とを有する、請求項１記載の洗浄装置。
【請求項３】
前記回転機構は、前記回転テーブルに同軸状に設けられる回転スプロケットと、前記回転スプロケットに巻き付けられるチェーンと、前記回転スプロケットの少なくとも１つを回転駆動する駆動手段とを有する、請求項１記載の洗浄装置。
【請求項４】
前記各作業位置を水平面内で円周方向に間隔をあけて設け、前記各作業位置の間に、それぞれ仕切り扉を開閉自在に設け、
前記各作業位置における作業時間を一致させるとともに、前記回転機構の作動および前記仕切り扉の開閉動作を相互に連動させる、請求項１ないし３のいずれか１項に記載の洗浄装置。
【請求項５】
前記各仕切り扉は、上下方向に昇降可能に設けられ、シリンダ手段により昇降させて開閉されるようにしている、請求項４記載の洗浄装置。
【請求項６】
前記作業位置には、前記回転テーブル上の前記被洗浄物の各部材に対し上方・下方・水平方向などの複数の方向から洗浄水を噴射するための複数の噴射ノズルを設けている、請求項１ないし５のいずれか１項に記載の洗浄装置。
【考案の詳細な説明】
【技術分野】
【０００１】
この考案は、複数個の部材を組み合わせて構成される部品、たとえば自動車用部品（以下、被洗浄物あるいはワークという）を洗浄するための洗浄装置に関する。
【背景技術】
【０００２】
この種の洗浄装置は、一般的に、たとえば治具に取り付けた多数のワークに対し洗浄水を噴射させて洗浄する作業位置（洗浄室）と、洗浄後のワークに圧縮空気等のエアーを吹き付けて水切りする作業位置（作業室）との少なくとも２つの位置を備え、ワークを治具とともに搬送機構により各位置へ順に移動させ、最終的に洗浄および水切りが終了したワークを戻すという構造からなっている。
【０００３】
このような洗浄装置として、被洗浄物をバケット等に収容したり取り出したり、あるいは被洗浄物を治具等に着脱したりするための室外の待機位置を備え、前記被洗浄物を洗浄する作業位置と、洗浄された被洗浄物をエアブロー等により水切りする水切り室との少なくとも２つの作業位置を設けた洗浄装置が知られている（例えば、特許文献１参照）。
【０００４】
上記洗浄装置では、一連の洗浄作業を構成する複数の工程を順にかつ並行して一斉に行うことができ、洗浄むらや乾きむらがなくて仕上がりが美しく、洗浄作業の効率および能力をそれぞれ向上できて作業時間の短縮化が図れるほか、装置全体の構造が比較的簡単で小型・軽量化でき、設置スペースが小さいという利点がある。
【先行技術文献】
【特許文献】
【０００５】
【特許文献１】特開２００２−３２６０６３号公報
【考案の概要】
【考案が解決しようとする課題】
【０００６】
いろいろな部品の中で、例えば箱状のものであれば、通常右側と左側との部材を組み合わせて形成される。また、機能部品などの場合、前工程で製品の複数個の部材の組み合わせを行い、最終工程で洗浄を行うようなものでは、「Ｌ（左側），Ｒ（右側）、Ｍ（中間），・・・」と組み合わせを変えずに、前工程で組み合わされた部材を複数同時に洗浄を行い、その後に再び組み合わせることがある。
【０００７】
そこで、そのような複数個の部材を同時にセット洗いができる洗浄装置が求められている。
【０００８】
本考案は、複数個の部材を組み合わせて構成される部品の前記複数個の部材を同時にセット洗いできる洗浄装置を提供することを目的とする。
【課題を解決するための手段】
【０００９】
上記の目的を達成するために本考案にかかる洗浄装置は、被洗浄物を洗浄する少なくとも２つの作業位置と、前記各作業位置に設けられる回転テーブルと、前記各回転テーブルを回転させる回転機構とを備える洗浄装置であって、前記被洗浄物は、複数個の部材を組み合わせて構成される部品の前記各部材であり、前記作業位置の数は、前記各部材の数に対応し、前記各部材は、前記各作業位置において、前記回転テーブルが前記回転機構によって回転されることで、同時に洗浄されるようにしたことを特徴とする。
【００１０】
このようにすれば、複数個の部材を組み合わせて構成される部品である被洗浄物の前記各部材を、セット洗いで、組み合わせを変更することなく、同時に洗浄することができる。
【００１１】
この場合、請求項２に記載のように、前記回転機構は、前記回転テーブルに同軸状に設けられる回転スプロケットと、前記回転スプロケットに巻き付けられるチェーンと、前記回転テーブルの少なくとも１つを回転駆動する駆動手段とを有する、構造としたり、請求項３に記載のように、前記回転機構は、前記回転テーブルに同軸状に設けられる回転スプロケットと、前記回転スプロケットに巻き付けられるチェーンと、前記回転スプロケットの少なくとも１つを回転駆動する駆動手段とを有する、ことが望ましい。
【００１２】
請求項４に記載のように、前記各作業位置を水平面内で円周方向に間隔をあけて設け、前記各作業位置の間に、それぞれ仕切り扉を開閉自在に設け、前記各作業位置における作業時間を一致させるとともに、前記回転機構の作動および前記仕切り扉の開閉動作を相互に連動させる、こともできる。
【００１３】
請求項５に記載のように、前記各仕切り扉は、上下方向に昇降可能に設けられ、シリンダ手段により昇降させて開閉されるようにする、ことができる。
【００１４】
請求項６に記載のように、前記作業位置には、前記回転テーブル上の前記被洗浄物の各部材に対し上方・下方・水平方向などの複数の方向から洗浄水を噴射するための複数の噴射ノズルを設けている、ことができる。
【考案の効果】
【００１５】
本考案は、複数個の部材を組み合わせて構成される部品である被洗浄物の前記各部材を、セット洗いで、同時に洗浄することができる。よって、洗浄後、部材を組み合わせて、もとの部品とすることができる。
【図面の簡単な説明】
【００１６】
【図１】本考案に係る洗浄装置であって作業位置が２つの場合の基本構造を示し、（ａ）は平面図、（ｂ）は側面図である。
【図２】本考案に係る洗浄装置であって作業位置が３つの場合の基本構造を示し、（ａ）は平面図、（ｂ）は側面図である。
【図３】変形例を示す平面図である。
【考案を実施するための形態】
【００１７】
以下、本考案にかかる洗浄装置の実施の形態を図面に基づいて説明する。
【００１８】
図１は本考案に係る洗浄装置であって作業位置が２つの場合の基本構造を示し、（ａ）は平面図、（ｂ）は側面図である。図２は本考案に係る洗浄装置であって作業位置が３つの場合の基本構造を示し、（ａ）は平面図、（ｂ）は側面図である。
【００１９】
図１に示すように、洗浄装置は、被洗浄物（複数個の部材を組み合わせて構成される部品の前記各部材）を洗浄する少なくとも２つの作業位置Ｐ１，Ｐ２と、各位置Ｐ１，Ｐ２に対応する数の回転テーブル１０１Ａ，１０１Ｂと、各回転テーブル１０１Ａ，１０１Ｂを回転させる回転機構１０２とを備える。回転機構１０２は、回転テーブル１０１Ａ，１０１Ｂに同軸状に設けられる回転スプロケット１０３Ａ，１０３Ｂと、回転スプロケット１０３Ａ，１０３Ｂに巻き付けられるチェーン１０４と、回転テーブル１０１Ａを回転する駆動スプロケット１０６（駆動手段）とを有する。
【００２０】
回転テーブル１０１Ａは、外周縁に、駆動スプロケット１０６の歯部が噛み合う凹部が規則的に設けられている。これにより、回転テーブル１０１Ａが、駆動スプロケット１０６によって回転駆動され、チェーン１０４を介して両回転テーブル１０１Ａ，１０１Ｂが回転される。１０７はテンションスプロケットで、作業位置Ｐ１，Ｐ２の間において、チェーン１０４に対し配置されている。
【００２１】
前記被洗浄物は、複数個の部材１０５Ａ，１０５Ｂを組み合わせて構成される部品の各部材１０５Ａ，１０５Ｂである。回転テーブル１０１Ａ，１０１Ｂの数は、作業位置Ｐ１，Ｐ２の数や部品の部材１０５Ａ，１５０Ｂの数に対応しており、各部材１０５Ａ，１０５Ｂは、各作業位置Ｐ１，Ｐ２において、回転テーブル１０１Ａ，１０１Ｂが回転機構１０２によって回転されかつ同時に、図示しない洗浄ノズルによって洗浄されるようにしている。
【００２２】
従って、部材１０５Ａ，１０５Ｂを組み合わせて構成される部品である被洗浄物の前記各部材１０５Ａ，１０５Ｂを、セット洗いで、同時に洗浄することができる。よって、洗浄作業終了後、部材の組み合わせを間違うことなく、部材１０５Ａ，１０５Ｂを組み合わせて、もとの部品とすることができる。
【００２３】
被洗浄物が３つの部材１０５Ａ，１０５Ｂ，１０５Ｃからなる場合には、図２に示すように、回転テーブル１０１Ｃ、回転スプロケット１０３Ｃを有する作業位置Ｐ３がさらに１つ増える。各作業位置Ｐ１，Ｐ２，Ｐ３の間において、テンションスプロケット１０７，１０７がチェーン１０４に対し配置されている。
【００２４】
また、被洗浄物が３つの部材からなる場合には、図３に示すように、各位置を、円周上に等角度間隔で配置することもできる。
【００２５】
この場合、洗浄装置１は、３つの作業位置Ｐ１１，Ｐ１２，Ｐ１３を備え、各位置Ｐ１１，Ｐ１２，Ｐ１３に回転テーブル５Ａ，５Ｂ，５Ｃが設けられている。回転テーブル５Ａ〜５Ｃ上には、通常は治具などが載置され、そこにワークとしての部材が取り付けられる。
【００２６】
作業位置Ｐ１１，Ｐ１２，Ｐ１３は円周上に等角度間隔で配置され、作業位置Ｐ１２，Ｐ１３との境界、作業位置Ｐ１１，Ｐ１２の境界および作業位置Ｐ１１，Ｐ１３の境界に、開口部１０がそれぞれ形成されている。そして、各開口部１０には仕切り扉１１が上下方向に昇降可能に配設され、仕切り扉１１がエアシリンダ（図示せず）により上方へ引き上げられて作業位置間の仕切りが解除され、エアシリンダにより下降されることにより作業位置の間が仕切られる。各前記エアシリンダは相互に連動され、全ての仕切り扉１１が一斉に昇降されるようになっている。
【００２７】
回転テーブル５Ａの外周縁には、駆動スプロケット１３の歯部が噛み合う凹部が規則的に設けられている。
【００２８】
各回転テーブル５Ａ〜５Ｃには、同軸状に回転スプロケット６Ａ〜６Ｃが設けられ、回転スプロケット６Ａ〜６Ｃの間にチェーン７が巻き掛けられている。これにより、回転テーブル５Ａが、駆動スプロケット１３によって回転駆動されると、チェーン７を介して残りの回転テーブル５Ｂ，５Ｃも、回転駆動され、各部材を同時に洗浄することが可能になる。８Ａ〜８Ｃはテンションスプロケットで、各回転スプロケット６Ａ〜６Ｃの間において、チェーン７に対し配置されている。
【符号の説明】
【００２９】
１  洗浄装置
５Ａ〜５Ｃ  回転テーブル
６Ａ〜６Ｃ  従動スプロケット
７  チェーン
８  テンションスプロケット
１０  開口部
１１  仕切り扉
１３  駆動スプロケット
１０１Ａ，１０１Ｂ，１０１Ｃ  回転テーブル
１０２  回転機構
１０３Ａ，１０３Ｂ，１０３Ｃ  回転スプロケット
１０４  チェーン
１０５Ａ，１０５Ｂ，１０５Ｃ  部材
１０６  駆動スプロケット
１０７  テンションスプロケット
【図１】
0003223543.tif 000003
【図２】
0003223543.tif 000004
【図３】
0003223543.tif 000005